(57)【特許請求の範囲】
【請求項１】
電話回線網に接続された地上局との間で無線通信を行うことにより、前記電話回線網に接続された他の電話端末との間で通話情報を送受信する無線送受信部と、
該送受信部により前記電話端末との間で送受信される通話情報を入出力する通話情報入出力部と、
外部操作によって、通話先となる電話端末の指定及び通話終了指令の入力を行うための操作部と、
該操作部を介して電話端末が指定されると、前記無線送受信部を起動して、前記地上局との間の無線通信により前記電話端末に接続させると共に、その後、前記操作部から通話終了指令が入力されるまで、該接続された電話端末との間で前記通話情報を送受信させる通話制御手段と、
を備えた携帯電話装置において、
人工衛星からの送信電波に基づき現在位置を検出するＧＰＳ受信部と、
該ＧＰＳ受信部にて検出された現在位置と地図情報とから、現在地表示用のＧＰＳ画像データを生成するＧＰＳ画像データ生成手段と、
前記無線送受信部の動作停止時に前記操作部に通話先となる電話端末を指定する入力が行われると、通話案内用の電話画像データを生成する電話画像データ生成手段と、
前記各画像データ生成手段にて生成された画像データに基づき、現在地及び通話案内を表示するための表示器と、
該表示器への現在地及び通話案内の表示を制御する表示制御部と、
外部操作によって前記ＧＰＳ受信部及び前記ＧＰＳ画像データ生成手段の動作・非動作を切り替えるためのＧＰＳ動作切替手段と、
前記各画像データ生成手段の動作状態に応じて、前記表示制御部に入力する画像データを、前記ＧＰＳ画像データ及び電話画像データのいずれか一方に設定する画像データ切替手段と、
を備え、
前記操作部は、少なくとも通話先の電話番号を入力するためのプッシュダイヤルを備え、
前記電話画像データ生成手段は、前記プッシュダイヤルを介して数値が複数個連続して入力されると、前記操作部から通話先となる電話端末を指定する入力が行われていると判断して、前記操作部から入力された数値を含む電話番号入力案内用の電話画像データを生成して、
前記画像データ切替手段は、前記各画像データ生成手段が同時に動作している場合には、前記電話画像データを前記表示制御部に入力して、前記表示器に前記通話案内を優先して表示させる
ことを特徴とする携帯電話装置。
【請求項２】
請求項１に記載の携帯電話装置において、
前記無線送受信部による通話情報の送受信中に、前記操作部に通話終了指令の入力が行われると、前記ＧＰＳ画像データ生成手段が動作している場合には、
前記画像データ切替手段は、前記表示制御部に入力する画像データを、前記電話画像データから前記ＧＰＳ画像データに切り替える
ことを特徴とする携帯電話装置。
【発明の詳細な説明】
【０００１】
【発明の属する技術分野】
本発明は、無線通信により電話回線網に接続されて、該電話回路網に接続された電話端末との間で通話情報を送受信する携帯電話装置に関する。
【０００２】
【従来の技術及び発明が解決しようとする課題】
従来より、例えば、通話情報をアナログ信号にて送受信する携帯電話用のシステムや通話情報をデジタルデータにて送受信する携帯電話用のシステム（例えば、ＰＨＳ；パーソナルハンディホンシステム）が知られている。
【０００３】
この種のシステムでは、そのシステムにおける情報伝達方式に適合した携帯電話装置を使用すれば、任意の場所から電話をかけることができるので、例えば、取引先や知人宅などに出向く途中で道に迷ったとしても、その場で、相手先に電話をかけて、道順を教えてもらう、といったことができる。
【０００４】
しかし、携帯電話装置は、その電話装置が属するシステムのサービスエリアから外れると使用できないので、サービスエリアから外れた場所で道に迷ったような場合には、道順を相手先に確認することはできない。また、相手先に電話をかけることができたとしても、自分の位置を相手先に伝えることができなければ、道順を教えてもらうことはできない。
【０００５】
本発明は、こうした問題を鑑みてなされたもので、携帯電話装置に現在地の検出機能を持たせて、携帯電話装置の利便性をより向上することを目的とする。
【０００６】
【課題を解決するための手段、発明の実施の形態及び発明の効果】
上記の目的を達成するためになされた本発明の請求項１記載の携帯電話装置は、電話回線網に接続された地上局との間で無線通信を行うことにより、前記電話回線網に接続された他の電話端末との間で通話情報を送受信する無線送受信部と、該送受信部により前記電話端末との間で送受信される通話情報を入出力する通話情報入出力部と、外部操作によって、通話先となる電話端末の指定及び通話終了指令の入力を行うための操作部と、該操作部を介して電話端末が指定されると、前記無線送受信部を起動して、前記地上局との間の無線通信により前記電話端末に接続させると共に、その後、前記操作部から通話終了指令が入力されるまで、該接続された電話端末との間で前記通話情報を送受信させる通話制御手段と、を備えた携帯電話装置において、人工衛星からの送信電波に基づき現在位置を検出するＧＰＳ受信部と、該ＧＰＳ受信部にて検出された現在位置と地図情報とから、現在地表示用のＧＰＳ画像データを生成するＧＰＳ画像データ生成手段と、前記無線送受信部の動作停止時に前記操作部に通話先となる電話端末を指定する入力が行われると、通話案内用の電話画像データを生成する電話画像データ生成手段と、前記各画像データ生成手段にて生成された画像データに基づき、現在地及び通話案内を表示するための表示器と、該表示器への現在地及び通話案内の表示を制御する表示制御手段と、外部操作によって前記ＧＰＳ受信部及び前記ＧＰＳ画像データ生成手段の動作・非動作を切り替えるためのＧＰＳ動作切替手段と、前記各画像データ生成手段の動作状態に応じて、前記表示制御部に入力する画像データを、前記ＧＰＳ画像データ及び電話画像データのいずれか一方に設定する画像データ切替手段と、を備え、前記操作部は、少なくとも通話先の電話番号を入力するためのプッシュダイヤルを備え、前記電話画像データ生成手段は、前記プッシュダイヤルを介して数値が複数個連続して入力されると、前記操作部から通話先となる電話端末を指定する入力が行われていると判断して、前記操作部から入力された数値を含む電話番号入力案内用の電話画像データを生成することを特徴とする。
【０００７】
請求項１記載の携帯電話装置によれば、ＧＰＳ画像データ生成手段が、ＧＰＳ受信部にて検出された現在位置と地図情報とから、現在地表示用のＧＰＳ画像データを生成し、生成されたＧＰＳ画像データに基づいて、表示制御手段が表示器に現在地を表示させることができる。また、操作部に通話先となる電話端末を指定する入力が行われると、通話情報入出力手段にて入出力される通話情報を、無線通信手段により指定された電話端末との間で送受信することができると共に、電話画像データ生成手段が通話案内用の電話画像データを生成し、生成された電話画像データに基づいて、表示制御手段が表示器に通話案内を表示させる。ここで、通話案内とは、後述する実施例にあるように、通話を行う際の携帯電話装置の情報の入出力状況及び動作状況を表すものである。
【０００８】
この結果、操作部に通話先となる電話端末を指定する入力を行えば、無線通信による他の電話端末との通話ができる。さらに、ＧＰＳ受信部及びＧＰＳ画像データ生成手段により得られた現在地を表示器に表示でき、現在地を把握することができる。従って、携帯電話装置の利便性をより向上することができる。
【０００９】
そして、表示器に現在地が表示されていても、プッシュダイヤルを連続して入力すれば、表示器に入力された数値を含む電話番号入力案内が表示されることから、従来の携帯電話装置と何ら変わることもなく、通話機能を使用することができる。また、プッシュダイヤルに複数個連続して入力されなければ、通話先を指定する入力が行われたと判断しないので、例えば、一回だけの入力や、一度に多数の入力を受けても入力が行われたと判断しない。従って、誤操作をしても通話機能が誤って起動することがない。
【００１０】
しかも、画像データ切り替え手段が、各画像データ生成手段の動作・非動作に応じて画像データを切り替える。例えば、ＧＰＳ画像データ生成手段が動作させている際には、表示器に現在地を表示させ、操作部に通話先となる電話端末を指定する入力が行われると、表示器に通話案内を表示させる。
【００１１】
このように、画像データ切替手段が各画像データ生成手段の動作状態に応じて表示器の表示を、現在地の表示に替えて通話案内の表示へ、または、通話案内の表示に替えて現在地の表示へ切り替えることにより、現在地または通話案内を表示器の表示範囲一杯に表示させることができ、特に地図情報に基づいた現在地を表示器の表示範囲一杯に表示させれば、見やすくすることができる。また、画像データ切替手段により表示器の表示が切り替わることから、大きな表示面の表示器を備える必要もなく、携帯電話装置を小型化できる。
【００１２】
さらに、請求項１に記載の携帯電話装置において、前記画像データ切替手段は、前記各画像データ生成手段が同時に動作している場合には、前記電話画像データを前記表示制御部に入力して、前記表示器に前記通話案内を優先して表示させることを特徴とする。
【００１３】
そのため、ＧＰＳ画像データ生成手段が動作して、表示器に現在地が表示されている際に、操作部に通話先となる電話端末を指定する入力が行われると、表示器に表示させていた現在地に替えて通話案内を優先して表示させる。
【００１４】
この結果、現在地の検出機能を使用して、表示器に現在地を表示させていても、操作部に通話先となる電話端末を指定する入力をすれば、表示器の表示が通話案内に切り替わるので、特に表示器の表示を現在地の表示から通話案内の表示に切り替える手間が掛からない。
【００１７】
請求項２記載の発明は、請求項１に記載の携帯電話装置において、前記無線送受信部による通話情報の送受信中に、前記操作部に通話終了指令の入力が行われると、前記ＧＰＳ画像データ生成手段が動作している場合には、前記画像データ切替手段は、前記表示制御手段に入力する画像データを、前記電話画像データから前記ＧＰＳ画像データに切り替えることを特徴とする。
【００１８】
請求項２記載の発明によれば、無線送受信部による通話情報のやり取りが終了したりして、操作部に通話終了指令の入力を行った際に、ＧＰＳ画像データ生成手段が動作している場合には、画像データ切替手段が表示器の表示が通話案内の表示から現在地の表示に切り替えるので、切り替える手間が掛からない。
【００１９】
【実施例】
次に、本発明の実施例の携帯電話装置１を図面を参照しながら説明する。
図１は、携帯電話装置１の概略ブロック図である。
携帯電話装置１は、通話情報入出力部３と、操作部１１と、表示部１７と、ＧＰＳ受信部２３と、無線送受信部２５と、衛星用アンテナ３５と、無線用アンテナ３７と、これらの各部を制御するための主制御回路４０を有している。
【００２０】
通話情報入出力部３は、マイク５、スピーカー７及びＰＣＭ（Pulse Code Modulation ）コーデック９を備えており、マイク５に入力された音声などの音声情報をＰＣＭコーデック９によりデジタル変換し主制御回路４０に送る。また、主制御回路４０からのデジタルの音声情報をＰＣＭコーデック９によりアナログ変換し、スピーカー７に出力する。
【００２１】
表示部１７は、液晶表示器１９と、主制御回路４０から送られてきた画像データに基づいて、液晶表示器１９に画像を出力する表示制御回路２１とを備えている。
ＧＰＳ受信部２３は、３個以上のＧＰＳ衛星から所定の信号（各衛星毎に付された識別情報）を衛星用アンテナで受信し、そのＧＰＳ衛星の識別情報に基づいて、各々のＧＰＳ衛星までの距離を算出し、算出された距離から現在位置（緯度及び経度）を検出する回路を備えている。
【００２２】
無線送受信部２５は、主制御回路４０から送られてきた信号を送信信号に変調して、無線用アンテナ３７から他の通信機器へ送信信号を送信すると共に、無線用アンテナ３７から入力される他の通信機器からの送信信号を復調して、その送信信号を主制御回路４０へ送る回路を備えている。
【００２３】
主制御回路４０は、ＣＰＵ４２と、記憶部４４を備え、記憶部４４には、ＲＯＭ４６と、不揮発性のＲＡＭ４８と、緯度及び経度に対応した地図情報を記録され、携帯電話装置１に脱着可能なＩＣカード５０とを備えている。
操作部１１は、電話番号などを入力するためのプッシュダイヤル１３ａ、予めＲＡＭ４８に記憶しておいた電話番号を呼び出すための周知の短縮呼出キー１３ｂ、後述する画面切替キー１３ｃ、ＧＰＳ受信部のＯＮ・ＯＦＦの切替を行うＧＰＳキー１３ｄ及び通話情報の送受信を終了を示すためのフックキー１３ｅを有するキーパネル１３と、キーパネル１３に入力された情報を主制御回路４０に送る入力制御回路１５とを備えている。
【００２４】
以上のように構成された携帯電話装置１では、ＧＰＳキー１３ｄがＯＮにされていると、主制御回路４０がＧＰＳ画像データ生成ルーチンを実行する。
以下にＧＰＳ画像データ生成ルーチンについて図２を参照しながら説明する。まず、ｓ１０（ｓはステップを表す）にて、ＧＰＳ受信部２３に現在位置（緯度及び経度）を検出させる。
【００２５】
次に、ｓ２０にて、現在位置の緯度及び経度とＩＣカード５０に記憶された地図情報の緯度及び経度を一致させる。
次に、ｓ３０にて、現在位置の緯度及び経度と地図情報の経度及び緯度とを対応させて、地図情報上に現在位置を示す画像データであるＧＰＳ画像データを生成する。
【００２６】
次に、ｓ４０にて、表示部１７の表示制御回路２１へＧＰＳ画像データを送り、液晶表示器１９に表示させる。
次に、ｓ５０にて、ＧＰＳキー１３ｄがＯＮにされているか否かを判断する。ＧＰＳキー１３ｄがＯＮにされているならば、ｓ１０の処理に戻り、ＯＦＦにされているならば、ＧＰＳ画像データ生成ルーチンを終了する。従って、ＧＰＳキー１３ｄがＯＮにされたままであると、ＧＰＳ画像データ生成ルーチンが常時繰り返され、常に現在位置が入った地図情報が液晶表示器１９に表示される。
【００２７】
また、携帯電話装置１では、操作部１１のキーパネル１３に通話先を指定する入力が行われたか否かの判定を行う入力判定ルーチンが、タイマー割り込みで所定時間毎に駆動されている。
以下に入力判定ルーチンについて図３を参照しながら説明する。
【００２８】
まず、ｓ１１０にて、キーパネル１３の数字、すなわちプッシュダイヤル１３ａが連続して３つ以上入力されたか否か判定する。ここで、プッシュダイヤル１３ａが連続して３つ以上入力されるのであるが、一つ一つのプッシュダイヤル１３ａが押される間隔は、所定の時間以内でなければ入力されたと判定しないものとする。所定の時間としては１秒程度がよい。また、プッシュダイヤル１３ａが二つ以上同時に押されても入力されたと判定しないものとする。そして、プッシュダイヤル１３ａが連続して３つ以上入力されていなければ、ｓ１２０を処理し、入力されていれば、ｓ１２３にて、プッシュダイヤル１３ａに入力された数値を含む電話番号入力案内用の電話画像データを生成すると共に、電話画像データを表示制御回路２１へ送ることで、電話番号入力案内を液晶表示器１９へ表示させた後、電話番号の入力が終了すると、ｓ１３０を処理する。
【００２９】
次に、ｓ１２０にて、短縮呼出キー１３ｂが押されているか否か判定する。短縮呼出キー１３ｂが押されていなければ、入力判定ルーチンを終了し、押されていれば、ｓ１２５にて、予めＲＡＭ４８に記憶された通話先に関する情報、少なくとも氏名及び電話番号を含む通話先の一覧テーブルを読み出して電話画像データを生成すると共に、電話画像データを表示制御回路２１へ送ることで、通話先の一覧情報である通話案内を液晶表示器１９へ表示させる。そして、表示された通話案内から任意に通話先の電話番号を指定されると、ｓ１３０を処理する。
【００３０】
次に、ｓ１３０にて入力された電話番号に基づいて、通話先と通話を行うための通話制御ルーチンを実行する。
この入力判定ルーチンは上述のようにタイマー割り込みで駆動しており、通話先を指定する入力が行われているか否か常に判定している。
【００３１】
次に、通話先と通話を行うための通話制御ルーチンについて図４を参照しながら説明する。
まず、ｓ２１０にて、ＧＰＳキー１３ｄがＯＮにされているか否かを判定する。ＧＰＳキー１３ｄがＯＮにされていていれば、ｓ２２０にて、ＧＰＳキー１３ｄがＯＮであることをＲＡＭ４８に記憶し、ＯＦＦにされていればｓ２３０を処理する。
【００３２】
次に、ｓ２３０にて、操作部１１に入力された通話先の電話番号に基づいて、無線送受信部２５に無線を介して電話回線網に接続された通話先の電話端末と接続し、通話先と通話情報を送受信する。このｓ２３０にて通話先と、音声を含む通話情報のやり取りを行うことができる。
【００３３】
次に、ｓ２３５にて、電話回線網に接続された通話先の電話端末と接続したことを表す画像データを表示制御回路２１に送ることで液晶表示器１９に電話回線網と接続したことを示す通話案内を表示させる。
次に、ｓ２４０にて、フックキー１３ｅが押されたか否か判定する。通話情報の送受信を終了を示すためのフックキー１３ｅが押されたならば、ｓ２５０にて、電話回路網との接続を終了し、押されていなければ、ｓ２４０で待機する。
【００３４】
次に、ｓ２５５にて、電話回線網との接続を終了したことを表す電話画像データを表示制御回路２１に送ることで液晶表示器１９に電話回路網との接続を週力したことを表す通話案内を表示させる。
次に、ｓ２６０にて、ｓ２２０の処理でＲＡＭ４８に記憶したＧＰＳキー１３ｄのＯＮ、ＯＦＦ状態について判定する。ＧＰＳキー１３ｄがＯＮであったのであれば、ＧＰＳ画像データ生成ルーチンを実行し、ＯＦＦであったのであれば、通話制御ルーチンを終了する。
【００３５】
また、ＧＰＳキー１３ｄがＯＮにされた状態において、電話画像データ生成ルーチンが生成した電話画像データが液晶表示器１９に表示されている際に、キーパネル１３の画面切替キー１３ｃが押されると、ＧＰＳ画像データ生成ルーチンが実行され、ＧＰＳ画像データが液晶表示器１９に表示されるようになっている。再度、画面切替キー１３ｃが押された際には、電話画像データ生成ルーチンが生成した電話画像データが液晶表示器１９に表示される。
【００３６】
以上に説明した携帯電話装置１については以下のような効果を奏する。
携帯電話装置１によれば、操作部１１に通話先となる電話端末を指定する入力を行えば、無線通信による他の電話端末との通話ができる。さらに、ＧＰＳ受信部２３及びＧＰＳ画像データ生成ルーチンにより得られた現在地を液晶表示器１９に表示でき、現在地を把握することができる。従って、従来の携帯電話装置の利便性をより向上することができる。
【００３７】
また、画像データ切り替え手段に相当するｓ１１０、ｓ１２０及びｓ２６０の処理がＧＰＳ画像データ生成ルーチン及び電話画面データ生成ルーチンの動作状態に応じて液晶表示器１９の表示を、現在地の表示に替えて通話案内の表示へ、または、通話案内の表示に替えて現在地の表示へ切り替えることにより、現在地または通話案内を液晶表示器１９の表示範囲一杯に表示させることができ、特に地図情報に基づいた現在地を液晶表示器１９の表示範囲一杯に表示させれば、見やすくすることができる。また、画像データ切替手段に相当するｓ１１０、ｓ１２０及びｓ２６０の処理により液晶表示器１９の表示が切り替わることから、大きな表示面の液晶表示器１９を備える必要もなく、携帯電話装置を小型化できる。
【００３８】
また、ＧＰＳ画像データ生成ルーチンが動作して、液晶表示器１９に現在地が表示されている際に、操作部１１に通話先となる電話端末を指定する入力が行われると、液晶表示器１９に表示させていた現在地に替えて通話案内を優先して表示させる。この結果、現在地の検出機能を使用して、液晶表示器１９に現在地を表示させていても、操作部１１に通話先となる電話端末を指定する入力をすれば、液晶表示器１９の表示が通話案内に切り替わるので、特に液晶表示器１９の表示を現在地の表示から通話案内の表示に切り替える手間が掛からない。
【００３９】
また、液晶表示器１９に現在地が表示されていても、プッシュダイヤル１３ａを連続して入力すれば、液晶表示器１９に入力された数値を含む電話番号入力案内が表示されることから、従来の携帯電話装置と何ら変わることもなく、通話機能を使用することができる。また、プッシュダイヤル１３ａに複数個連続して入力されなければ、通話先を指定する入力が行われたと判断しないので、例えば、一回だけの入力や、一度に多数の入力を受けても入力が行われたと判断しない。従って、誤操作をしても通話機能が誤動作することがない。
【００４０】
また、無線送受信部２５による通話情報のやり取りが終了したりして、操作部１１に通話終了指令の入力を行った際に、ＧＰＳ画像データ生成ルーチンが動作している場合には、画像データ切替手段に相当するｓ２６０の処理が液晶表示器１９の表示が通話案内の表示から現在地の表示に切り替えるので、切り替える手間が掛からない。
【００４１】
上記実施例と請求項との対応についてまとめると、通話制御ルーチンが通話制御手段に、ＧＰＳ画像データ生成ルーチンがＧＰＳ画像データ生成手段に、ｓ１２３、ｓ１２５、ｓ２３５及びｓ２５５の処理が電話画像データ生成手段に、表示制御回路２１が表示制御部に、ｓ１１０、ｓ１２０及びｓ２６０が画像データ切替手段に、ＧＰＳキー１３ｄがＧＰＳ動作切替手段に、それぞれ相当する。
【００４２】
以上、本発明の実施例を説明したが、本発明はこれに限らず、さらに種々なる態様にて実施してもよい。
例えば、現在地画像データ及び電話画像データを液晶表示器１９に表示する方法として、画像データ切替手段に相当するｓ１２３、ｓ１２５、ｓ２３５及びｓ２５５の処理による切り替えを行うことで表示していたが、液晶表示器１９の画面を二分割して表示してもよい。
【図面の簡単な説明】
【図１】  実施例の携帯電話装置１の概略を示すブロック図である。
【図２】  実施例の携帯電話装置１のＧＰＳ画像データ生成ルーチンを示すフローチャートである。
【図３】  実施例の携帯電話装置１の入力判定ルーチンを示すフローチャートである。
【図４】  実施例の携帯電話装置１の通話制御ルーチンを示すフローチャートである。
【符号の説明】
１…携帯電話装置    ３…通話情報入出力部    １１…操作部
１３ａ…プッシュダイヤル    １３ｂ…短縮呼出キー    １３ｃ…画面切替キー
１３ｄ…ＧＰＳキー    １３ｅ…フックキー    １９…液晶表示器
２３…ＧＰＳ受信部    ２５…無線送受信部    ４０…主制御回路
４４…記憶部
【図１】
0003836006.tif 000002
【図２】
0003836006.tif 000003
【図３】
0003836006.tif 000004
【図４】
0003836006.tif 000005